(57)【要約】【課題】手指の力が弱く、手先の細かい作業が困難な高齢者や手の不自由な人でも、簡単に錠剤をシートから取り出すことができ、ベッドに寝たままの姿勢でも錠剤を取りこぼすことがなく、さらに、薬を服用したかどうかのチェックも可能な錠剤服用補助具を提供すること。【解決手段】円形の突起からなる錠剤押出部と略長方形板状の押圧板を有する押圧部と、前記押圧部の下側に設けられ、前記錠剤押出部と対応する場所に錠剤が通過できる径の孔を有する台座板を有する台座部と、前記台座部の下側であって前記孔の下側に設けられた、開口部を有する箱形状の錠剤貯蔵部と、前記台座部の下側であって前記錠剤貯部に隣接するように設けられたシート貯蔵部と、を有することを特徴とする錠剤服用補助具を提供する。【選択図】  図１
2015139498.tif 000002
【特許請求の範囲】
【請求項１】
円形の突起からなる錠剤押出部と略長方形板状の押圧板を有する押圧部と、
前記押圧部の下側に設けられ、前記錠剤押出部と対応する場所に錠剤が通過できる径の孔を有する台座板を有する台座部と、
前記台座部の下側であって、前記孔の直下に設けられた、中空箱形状の錠剤貯蔵部と、
前記錠剤貯部に隣接して設けられたシート貯蔵部と、を有することを特徴とする錠剤服用補助具。
【請求項２】
前記台座板の前記孔近傍には、錠剤シートを定位置に載置するための、前記錠剤シートの端縁が当接する土手であるガイド部を備えたことを特徴とする請求項１に記載の錠剤服用補助具。
【請求項３】
前記台座板の前記孔に向かって所定角度をもって取り付けられた滑り台部を有することを特徴とする請求項１又は請求項２に記載の錠剤服用補助具。
【請求項４】
前記押圧板と前記台座部の間に、先端に錠剤を挟むことができる挟持部を有する板状の錠剤シート固定板を備えたことを特徴とする請求項１から請求項３いずれか１つに記載の錠剤服用補助具。
【発明の詳細な説明】
【技術分野】
【０００１】
本発明は、細かい作業が困難となった高齢者でも容易に錠剤をシートから取り出すことができ、飲み忘れも予防できる錠剤服用補助具に関する。
【背景技術】
【０００２】
高齢者や闘病中の患者は、体力や身体能力の低下と共に、握力や指の力が低下し、さらに、手先の細かい作業が難しくなることが多いため、錠剤薬を服用する際に、錠剤シートから錠剤を取り出すという作業は大変手間がかかる。また、服用する薬の種類が増えたり、加齢に伴い記憶力が低下したりすると、しばしば、薬を服用したかどうかの記憶が曖昧になり、飲み忘れや、二重に服用してしまうということが起こる。薬は、決められた回数と量を守らなければ、効果が期待できず、また、重複して服用することは副作用の危険が生じる。
【先行技術文献】
【特許文献】
【０００３】
【特許文献１】実用新案登録第３１７０１８３号
【発明の概要】
【発明が解決しようとする課題】
【０００４】
そのような問題を解決するため、これまで、錠剤を取り出すための機器として、特許文献１の錠剤らくとれ器が考案されている。しかし、特許文献１に記載の錠剤らくとれ器は、小さな環状部材の上に錠剤シートを載置しなければならず、大変細かい作業が必要である。そのため、指の力と共に視力も衰えた高齢者にとって使いにくい。また、取り出した錠剤は真下の空間にポトリと落ちるため、手で受け損ねて床に落としやすく、ベッドに寝たままの姿勢では使用できないという問題があった。さらに、錠剤を取り出したあとの開封済みシートが、散らかってしまうという問題があり、錠剤を服用したかどうかのチェックも、できなかった。
【０００５】
そこで、この発明の目的は、手指の力が弱く、手先の細かい作業が困難な高齢者や手の不自由な人でも、簡単に錠剤をシートから取り出すことができ、ベッドに寝たままの姿勢でも錠剤を取りこぼすことがなく、さらに、薬を服用したかどうかのチェックも可能な錠剤服用補助具を提供することにある。
【課題を解決するための手段】
【０００６】
この発明の錠剤服用補助具は、円形の突起からなる錠剤押出部と略長方形板状の押圧板を有する押圧部と、前記押圧部の下側に設けられ、前記錠剤押出部と対応する場所に錠剤が通過できる径の孔を有する台座板を有する台座部と、前記台座部の下側であって、前記孔の直下に設けられた、中空箱形状の錠剤貯蔵部と、前記錠剤貯部に隣接して設けられたシート貯蔵部と、を有することを特徴とする。
【０００７】
この発明によれば、台座部に錠剤シートを載置して押圧板を押すと、押圧板に設けられた錠剤押出部が、錠剤シートの錠剤封入部を押圧し、錠剤封入部下側のアルミ箔が破れて、錠剤シートから錠剤が押し出される。錠剤封入部の直下には、台座板に設けられた孔があり、孔は、ちょうど錠剤が通過できる径であるので、押し出された錠剤は、孔を通過して、錠剤貯蔵部の中に落ちる。したがって、簡単に錠剤シートから錠剤を押し出すことができ、押し出した錠剤を錠剤貯蔵部に貯めることができる。錠剤貯蔵部は、箱形状となっているため、取り出した錠剤を取りこぼすことがない。ベッドに横になったままでも使用することができるので便利である。さらに、錠剤を取り出した後、錠剤服用補助具を、シート貯蔵部が設けられた方向が下がるように傾けると、錠剤取り出し後のシートゴミが台座板の上を滑り落ちて台座板の先にあるシート貯蔵部のシート貯蔵箱の中に入る。シートゴミをシート貯蔵部に貯めることができるので、シートゴミが散乱せず便利である。たとえば、錠剤を取り出し済みのシートをシート貯蔵部に１日分または１週間分など、決まった日数貯めておくようにすれば、本人や介護者が飲み忘れの有無を確認でき、飲み忘れや、重複して服用することを予防でき、安全である。
【０００８】
また、この発明にかかる錠剤服用補助具の前記台座板の前記孔近傍には、錠剤シートを定位置に載置するため、前記錠剤シートの端縁が当接する土手であるガイド部を備えたことを特徴とする。
【０００９】
この発明によれば、台座板に設けられた、錠剤シートの端縁が当接する土手の内側に錠剤シートを載せれば良いので、錠剤シートの設置が簡単である。手先の細かい作業が苦手な高齢者でも、簡単に錠剤シートを錠剤服用補助具に装着することができる。また、シート端縁が当接する土手が錠剤シートを定位置に保持するため、台座板に錠剤シートを載せたあと、押圧板を押す際に、錠剤シートの位置が動いてずれてしまうことを防止できる。正確な位置に錠剤シートを保持できるので、押圧板を押した際に、錠剤が欠けたり潰れたりすることがない。
【００１０】
また、この発明にかかる錠剤服用補助具前記台座板の前記孔に向かって、所定角度をもって取り付けられた錠剤挿入部を有することを特徴とする。
【００１１】
この発明によれば、台座板に設けられたコの字形状の内側に錠剤シートを載せれば良いので、錠剤シートの設置が簡単である。
【００１２】
この発明によれば、錠剤挿入部の上に錠剤シートを載せれば、錠剤シートが錠剤挿入部に沿って滑り落ちて、台座板に設けられたガイド部内の定位置で止まるため、簡単に、錠剤シートを台座板に載せることができる。細かい作業が苦手な高齢者等は、押圧板と台座板の間隙に指を入れて錠剤シートをガイド部内に乗せることも困難であることがある。そういう場合でも、錠剤挿入部の上に錠剤シートを載せるだけで台座板まで滑り下り定位置に止めることができるので便利である。
【００１３】
また、この発明の錠剤服用補助具は、前記押圧板と前記台座部の間に、二本の突起の間隙に錠剤シートの凸部を挟んで保持することができる挟持部が先端に設けられた錠剤固定板を備えたことを特徴とする。
【００１４】
この発明によれば、挟持部の二本の突起の間に錠剤シートの凸部が挟まれるように、錠剤シートを台座板と錠剤固定板との間隙に滑り込ませれば、錠剤シートが位置ずれせず、正確な位置に錠剤シートを設置できる。そのため、押圧板を押した際に、錠剤押出部が錠剤の中心付近を圧迫し、スムーズに錠剤を押し出すことができる。
【図面の簡単な説明】
【００１５】
【図１】この発明の実施の形態１にかかる錠剤服用補助具１００を示す左側面図である。
【図２】（ａ）は、図１の錠剤服用補助具１００を示す上面図であり、（ｂ）は図１の錠剤服用補助具の台座部の上面図である。
【図３】図１の錠剤服用補助具１００を示す正面図である。
【図４】図１の錠剤服用補助具１００の使用方法１を示す参考斜視図である。
【図５】図１の錠剤服用補助具１００の使用方法２を示す参考斜視図である。
【図６】図３の錠剤服用補助具のＡ−Ａ断面図であって、押圧板を押して錠剤が錠剤貯蔵箱に入る様子を説明する図である。
【図７】図３の錠剤服用補助具のＡ−Ａ断面図であって、錠剤を取り出した後のシートがシート貯蔵箱に入る様子を説明する図である。
【図８】この発明の実施の形態２にかかる錠剤服用補助具２００を示す左側面図である。
【図９】図８の錠剤服用具２００の使用方法を説明するための参考斜視図である。
【図１０】この発明の実施の形態３にかかる錠剤服用補助具３００を示す左側面図である。
【図１１】この発明の実施の形態４にかかる錠剤服用補助具４００を示す左側面図である。
【図１２】図１１の錠剤服用補助具４００の錠剤押出部を外した状態の上面図（錠剤固定板７と台座部３の上面図）であって、錠剤シートＳを固定する手順の説明図である。
【発明を実施するための形態】
【００１６】
（実施の形態１）
図１は、この発明の実施の形態１にかかる錠剤服用補助具１００の左側面図である。図２（ａ）は、図１の錠剤服用補助具１００を示す上面図であり、（ｂ）は図１の錠剤服用補助具の台座部の上面図である。図３は、図１の錠剤服用補助具１００を示す正面図である。図４は、図１の錠剤服用補助具１００の使用方法１を示す参考斜視図であり、図５は、図１の錠剤服用補助具１００の使用方法２を示す参考斜視図である。
【００１７】
図１に示すように、本発明の錠剤服用補助具１００は、押圧部１、台座部３、錠剤貯蔵部４及びシート貯蔵部５を主に有する。押圧部１は、略長方形板状の押圧板１１と押圧板１１の先端近傍に設けられた円形突起１１からなる。台座部３は、押圧部１の下側に設けられており、台座板３１、孔３４、側壁３２、側壁３３とからなる。孔３４は、台座板３１の先端近傍に設けられており、押圧板１１を押して台座板３１に重なるようにしたときに、ちょうど円形突起１２が当たる部分に設けられている。
【００１８】
押圧板１１の短手方向の辺であって、円形突起１２が設けられた側とは反対側の辺には接続具２が設けられている。接続具は、押圧板１１と、その下にある台座板３１の対応する辺とを接続している。接続具２は、回転軸の周りに巻きバネを設けた接続具である。接続具２が設けられていることによって、押圧板１１は、押圧板１１と台座板３１が接続された短手方向の辺を回転軸として、台座板３１に対し０度から上方へ３０度の角度に、動かすことができるようになっている。
【００１９】
押圧板１１は、接続具２の回転軸に設けられた巻きバネによって、何も力を加えない状態では、台座板３１に対して、およそ３０度前後の角度になっている。押圧板１１を押すと、押圧板１１は台座板３１と平行（０度の角度）になるが、押圧板１１から手を離せば、接続具２の巻きバネの作用により、元の３０度前後の角度に戻る。そのため、押圧板１１を押さない状態では、押圧板１１と台座板３１の間に空間が形成され、台座板３１に錠剤を載せる作業が容易に行えるようになっている。
【００２０】
台座板３１の長手方向の辺であって、台座板の先端近傍には、側壁３２、側壁３３が設けられている。側壁３３は、図１では不図示であるが、側壁３２と、孔３４を挟んでちょうど対向する辺に、側壁３２と対称に設けられている。側壁３２、３３が設けられていることによって、錠剤シートを孔３４の上に設置する際に、錠剤シートが台座板３１から滑り落ちない。
【００２１】
台座部３の下には、開口部４２を有する中空箱状の錠剤貯蔵部４が設けられている。錠剤貯蔵部４は、中空箱状の錠剤貯蔵箱４１と開口部４１とを有する。開口部４１は、本実施の形態１００では、錠剤貯蔵箱３１の右側に設けられた略長方形の開口である。錠剤貯蔵箱３１の左側面には開口部４１と同じ形状の開口部４２が設けられている。開口部４２の寸法は、錠剤が出し入れできるのに十分な寸法となっている。本実施の形態１では開口部４１、４２は、略長方形の開口となっているが、開口部４１、４２の形状は長方形に限定されず、丸い形状の開口でも良いし、正方形や台形その他の形状でも良い。
【００２２】
錠剤貯蔵部の隣には、開閉可能な扉５３を設けた中空箱状のシート貯蔵部５が設けられている。シート貯蔵部５のシート貯蔵箱５１は、中空箱形状であり、錠剤貯蔵部４と接している面と対向する面には、扉５３が金具５５によって取り付けられている。扉５３は、開閉可能である。また、シート貯蔵部５の側面、底面及び扉は、プラスチック板や樹脂等、ある程度固さを持つ素材で形成されている。シート貯蔵部５の上面にある上側シート５２は、ビニル素材や薄いプラシートその他の弾力性と柔軟性を備えた素材からできている。上側シート５２は、台座板３１より、すこし高くなるよう、ふくらみを持たせて設けられているが、やわらかい素材でできているため、押圧板１１を押すと、上側シート５２は押圧板１１に押されてつぶれて平らになり、錠剤を押し出す作業の邪魔にならない。
【００２３】
本実施の形態１００では、錠剤貯蔵部４及びシート貯蔵部５は、プラスチックや樹脂その他の、透明または半透明の素材でできている。透明または半透明であるため、錠剤貯蔵部３に入っている錠剤が目視で確認しやすく、また、シート貯蔵部５に入っているシートも確認しゃすい。
【００２４】
図２（ａ）に示すように、押圧部１の押圧板１１は、上面視、略長方形であって、その裏側、換言すれば、台座部２と接する側の面の先端近傍に円形突起１２が設けられている。円形突起１２の直径は、３ミリから２０ミリが良く、最適な寸法は直径５ミリから１０ミリである
【００２５】
図２（ｂ）に示すように、台座板３１は、上面視、略長方形であって、その長手方向の長さは、押圧板１１より長くなっている。台座板３１の長手方向の辺であって、中ほどから先端までの縁には、土手形状の側壁３２，３３が設けられている。台座板３１のなかほどであって、側壁３２，３３に挟まれた部分には、孔３４が設けられている。孔３４は、各種錠剤が通過できる程度の大きさであって、孔の直径は０・５センチから３センチまでの間が良い。最適な直径は１センチから２センチである。また、孔３３の形状は円形に限定されることはなく、楕円や四角形、長方形その他の形状でも良い。
【００２６】
孔３４の周囲には、シートの端縁が当接する土手形状のガイド部３５が設けられている。ガイド部３５は、本実施の形態１では、逆コの字形状の突起である。錠剤シートの端縁がガイド部３５に当接することによって、錠剤が封入されている錠剤封入部が、孔３３の真上にくるよう、錠剤シートを設置できる。台座板３１の短手方向の辺であって、接続具２が設けられた辺とは反対側の辺には、台座板３１に隣接して、錠剤シート貯蔵部５が設けられている。図１及び図２に示すように、錠剤シート貯蔵部５の上面にある上側シート５２は、台座板３１とはつながっていない。上側シート５２は、トンネル形状になっており、トンネルの頂上は、台座板３１よりも、頂点が高い位置にきている。そのため、台座板３１と上側シート５２の間には、錠剤シートが通過できる程度の空間が生じている。
【００２７】
図３に示すように、シート貯蔵部４には扉５４が設けられている。扉５３はつまみ５４を指でつまんで開閉可能となっている。扉５３の裏側には、磁石や鉄製素材が取り付けられており、錠剤シート貯蔵箱５のほうにも、対応する部分に磁石や鉄製素材が設けられている。扉４２を開けると、シート貯蔵箱５１に入っている錠剤取り出し済みのシートを取り出すことができる。扉５３は、透明又は半透明の樹脂やプラスチック板でできているので、扉５３を閉じた状態でも、シート貯蔵箱５１に入っているシートを目視で確認することができる。
【００２８】
図４に示すように、錠剤服用補助具１００は、親指を押圧板１１の先端近傍の円形突起１２の真上近傍にあてて、親指以外の４本の指で錠剤貯蔵部４を包み込むようにして支えれば、片手で操作が可能である。また、親指で押すという単純な操作で、大きな力も要しないので、利き手ではないほうの手でも簡単に操作できる。たとえば、利き手ではない左手で錠剤服用補助具１００を操作し、取り出した錠剤を右手のひらの上に出して、錠剤を服用することができる。錠剤を服用する際、手間が少なく簡単で便利である。
【００２９】
また、錠剤服用補助具１００は、人差し指を押圧板１１の先端近傍の円形突起１２の真上付近にあてて、人差し指以外の指で錠剤貯蔵部を持つことによって、操作することも可能である。たとえば、ベッドに寝たまま錠剤服用補助具１００を操作する際は、人差し指で押圧板１１を押すほうが簡単である。シートから取り出した錠剤は錠剤貯蔵部４１に貯まるのでベッド上に散乱せず、また、錠剤を取り出したあとのシートはシート貯蔵部５１に貯まるので、開封済みシートも散乱せず、ゴミ箱が近くにない場合でも便利である。さらに、開封済みシートは１日分または数日分貯めておくようにすれば、薬の飲み忘れがないかを、本人や介護者が確認することができる。
【００３０】
また、本実施の形態１にかかる錠剤服用補助具１００は、手で保持して操作する以外に、テーブルの上や布団の上に錠剤服用補助具１００を置いた状態で、押圧板１１を手全体で押したり、床の上に錠剤服用補助具１００を置いて、押圧板１１を足で踏んで圧迫したりしても操作することが可能である。手指の細かい作業が困難で、指の力も弱い高齢者等の場合は、手全体で押したり、足で踏みつけたりして錠剤を取り出すことができ、取り出された錠剤は錠剤貯蔵部４１の中に収納されて錠剤を清潔に保つことができるので有用である。
【００３１】
次に、図６及び図７を示し、錠剤シートから錠剤を取り出す手順を説明する。
【００３２】
錠剤シートは１つのシートに複数の錠剤が並んでおり、錠剤１つ分を切り離せるようにミシン目が設けられている。事前準備として、シートに設けられたミシン目に沿って切り離し、錠剤１つ分の錠剤シートを準備する。介護施設入居者や病院入院患者は、1回分の食事と一緒に、1回分の薬、すなわち切り離し済みの錠剤シートを提供されることが多いが、そのような場合は、事前準備は不要である。錠剤シートＳは、錠剤Ｔが中央に封入されており、封入された部分が盛り上がって錠剤封入部Ｕを形成している。
【００３３】
まず、図６（ａ）のように、錠剤シートＳを台座板３１上の孔３４（不図示）近傍に載置する。台座板３１は床に対して平行に設けられており、台座板３１と押圧板１１の間には、スペースが開いているので、錠剤シートＳを載置しやすい。台座板３１には、ガイド部３５が設けられている。ガイド部３５は、コの字形状となっており、コの字で区切られた空間の略中央に孔３４が設けられている。錠剤シートは、略中央に錠剤が封入されているので、ガイド部３５に錠剤シートの端縁が当接するように、ガイド部３５のコの字形状の内側に錠剤シートを設置すると、ちょうど、孔３４の真上に錠剤が設置される。したがって、錠剤シートを、容易に正しい位置に載置することができる。また、ガイド部３５の外側には、側壁３２，３３があるため、作業中に錠剤シートＳが大きくずれて床に落ちてしまうことはない。
【００３４】
錠剤シートＳをガイド部３５内に載置できたら、押圧板１１の上から矢印方向に押す。すると、図６（ｂ）に示すように、押圧板１１に設けられた円形突起１２が、錠剤シートＳの錠剤封入部Ｕを押圧して、錠剤封入部Ｕがつぶれ、錠剤封入部Ｕの下側にあるアルミ箔が破れ、錠剤Ｔが押し出される。錠剤封入部Ｕの直下には孔３４（不図示）があるので、押し出された錠剤Ｔは、図６（ｃ）のように、孔３４（不図示）を通過して錠剤貯蔵箱４１の中に落下する。
【００３５】
図７（ｄ）に示すように、錠剤Ｔが錠剤貯蔵箱４１の中に入ったら、錠剤服用補助具１００をすこし振るか、シート貯蔵部５が下になるように錠剤服用補助具を傾ける。台座板３１には、側壁３２，３３（不図示）があるので、開封済みシートが台座板３１の側壁３２,３を越えて床に落下することはなく、開封済みの錠剤シートＳは、台座板３１の上を滑って先端まで行き、図７（ｅ）のように、シート貯蔵箱５１のなかに落下する。
【００３６】
（実施の形態２）
次に、図８を参照して、実施の形態２にかかる錠剤服用補助具２００を説明する。錠剤服用補助具２００は、シート貯蔵部５の上側に、台座板３１に向かって下方に傾斜した滑り板６１と、滑り台側壁６２，６３を有する滑り台部６を設けた構成となっている。滑り板側壁は６３が、図８では不図示であるが、滑り台側壁６２と同じ形状で、上側シートを挟んで対向するように、対称に設けられている。滑り台部６以外の部分は実施の形態１と同じであるため説明を省略する。
【００３７】
図９に示すように、滑り板６１は、表面が滑らかな略長方形形状の板であり、長手方向の縁は、垂直に盛り上がって土手を形成している。錠剤服用補助具２００の使用方法は、錠剤シートＳを、滑り板６１の傾斜面の上方に載せる。すると、錠剤シートＳは、滑り板６１の傾斜に沿って下方に滑り落ち、台座板１１の孔３４の上で止まる。滑り板６１の上に錠剤シートＳを置くだけで、定位置に錠剤シートＳが載置されるので、手先の細かい作業が苦手な高齢者でも、難なく、錠剤シートＳを設置できる。
【００３８】
（実施の形態３）
次に、図１０を参照して、実施の形態３にかかる錠剤服用補助具３００を説明する。錠剤服用補助具３００は、押圧板１１の長手方向の長さを長くして、円形突起１２を押圧板１１の先端ではなく、中程、接続具２寄りに設けた構成である。台座板３１に設けられた孔３１、ガイド部３５、側壁３２，３３も、円形突起１２に対応する部分に設けられている。そのほかの部分は実施の形態１と同じであり、使用方法も同じであるため説明を省略する。押圧板１１を長くして、手で押す部分（力点）を接続具２（支点）から遠くして、円形突起１２（作用点）の場所を中程にして、接続具２（作用点）の近くに設けたことで、テコの原理により、手で押す部分にかける力が小さくても、円形突起１２（作用点）に十分な力を与えることができる。したがって、力の弱い高齢者等でも、簡単に錠剤を押し出すことができる。
【００３９】
（実施の形態４）  
次に、実施の形態４にかかる錠剤服用補助具４００を説明する。図１１は、この発明の実施の形態４にかかる錠剤服用補助具４００を示す左側面図であって、図１２は、図１１の錠剤服用補助具４００の錠剤押出部を外した状態の上面図（錠剤固定板７と台座部３の上面図）であって、錠剤シートＳの固定方法を説明する図である。図１１に示すように、錠剤服用補助具４００は、押圧部１と台座部３の間に、先端に挟持部７１を有する錠剤シート固定板７を設けた構成である。錠剤シート固定板７は接続具２によって押圧部１と台座部３とともに一端を接続され、さらに、錠剤シート固定板７のなかほどと上側の押圧板１１との間には、バネが設けられている。実施の形態４では、台座部３の側壁３２，３３及びガイド部３５は不要であり省略できる。そのほかの構成は、実施の形態１と同じであるため、説明を省略する。
【００４０】
図１２（ａ）に示すように、錠剤シート固定板７は、先端に細長い二本の突起があり、二股に分かれた挟持部７１を有する板形状となっている。上面視、挟持部７１の二本の突起の間からは、台座部３の孔３４が見えている。錠剤シートＳを設置する際は、図１２（ａ）のように、錠剤シートＳを台座板３１に置いて、矢印方向に滑らせて、図１２（ｂ）のように、台座板１１と錠剤シート固定板７との間隙に、錠剤シートＳを滑り込ませ、錠剤シートＳの錠剤が梱包されている部分である錠剤封入部Ｕを挟持部７１の二本の突起で挟むようにして錠剤シートＳを台座板３１の上に設置する。
【００４１】
挟持部７１の二本の突起は細いので、錠剤封入部Ｕを両側から挟み、錠剤シートＳを固定できる。また、挟持部７１で錠剤シートＳを固定する方法は、台座部３に、錠剤シートＳの端縁を当接するガイド部を設ける必要がないため、シートの端が長くても使用時に支障がない。すなわち、錠剤シートＳをひとつひとつの錠剤ごとに切り離しておく事前準備が不要であり、作業の手間が省けるというメリットもある。
【００４２】
錠剤シート固定板７と押圧板１１の間は、バネが設けられており、錠剤シート固定板７と押圧板１１の間に適度な空間を保つことができる。したがって、錠剤シートＳを台座板１１に設置する作業空間を確保できる。また、錠剤シートＳを差し込んでいるときに、押圧板１１が下りてきて邪魔になることがない。錠剤シートＳの錠剤封入部Ｕのところを挟持部７１で両側から挟んで固定したあと、押圧板１１を下方に押す。すると、錠剤シート固定板１１が錠剤シートＳを固定し、押圧部１の円形突起１２が錠剤封入部Ｕの上にあたって、錠剤封入部Ｕがつぶれ、錠剤シートＳから錠剤Ｔを押し出される。
【００４３】
本実施の形態では、シート貯蔵部５を先端に、錠剤貯蔵部４を、接続具２に近い側に配置する構成としたが、錠剤貯蔵部４とシート貯蔵部５の位置は、逆でも良い。すなわち、シート貯蔵部５を、錠剤貯蔵部４の隣であって、接続具２から近い側に配置しても良い。そのような構成の場合は、錠剤シートから錠剤を押出したあと、錠剤服用補助具を傾けて、奥にあるシート貯蔵部５に開封済み錠剤シートを滑り込ませて収納し、手前にある錠剤貯蔵部に錠剤シートから取り出した錠剤を溜めていく構成となる。
【符号の説明】
【００４４】
１００，２００，３００，４００  錠剤服用補助具
１  押圧部
１１  押圧板
１２  円形突起
２  接続具
３  台座部
３１  台座板
３２，３３  側壁
３４  孔
３５  ガイド部
４  錠剤貯蔵部
４１  錠剤貯蔵箱
４２，４３  側面
４４，４５  錠剤取り出し口
５  シート貯蔵部
５１  シート貯蔵箱
５２  上側シート
５３  扉
５４  つまみ
５５  金具
６  滑り台部
６１  滑り板
６２，６３  滑り台側壁
７  錠剤シート固定板
７１  挟持部
７２  バネ
Ｔ  錠剤
Ｓ  錠剤シート
Ｕ  錠剤封入部
【図１】
2015139498.tif 000003
【図２】
2015139498.tif 000004
【図３】
2015139498.tif 000005
【図４】
2015139498.tif 000006
【図５】
2015139498.tif 000007
【図６】
2015139498.tif 000008
【図７】
2015139498.tif 000009
【図８】
2015139498.tif 000010
【図９】
2015139498.tif 000011
【図１０】
2015139498.tif 000012
【図１１】
2015139498.tif 000013
【図１２】
2015139498.tif 000014